(57)【要約】【課題】台の上面やその廻りから飛散した水が通電接続部に付着し難く、通電接続部から張られる電源コードに使用者が身体の一部を引っ掛け難く、家電製品が落下したり使用者が転倒するのが抑えられるコンセント装置を提供する。【解決手段】上面が水廻りの作業面となる台（調理台１）の前面部１２に設けられるコンセント装置５である。前面部１２の一部に露出する、下側の部分が下方へ行く程背方に位置するように傾斜する傾斜面５６となる。傾斜面５６に通電接続部６１および磁性体６２を備える。  【選択図】図１
2014235983.tif 000002
【特許請求の範囲】
【請求項１】
上面が水廻りの作業面となる台の側面部に設けられるコンセント装置であって、
前記側面部の一部に露出する側面を有し、前記側面の一部または全部が下方へ行く程前記台の内方に位置するように傾斜する傾斜面となり、
前記傾斜面に通電接続部および磁性体を備えることを特徴とするコンセント装置。  
【請求項２】
前記通電接続部および前記磁性体を有する本体部を備え、上端部が前記本体部に回動自在に取り付けられ、下端部が移動可能な蓋が設けられることを特徴とする請求項１記載のコンセント装置。
【発明の詳細な説明】
【技術分野】
【０００１】
本発明は、上面が水廻りの作業面となる台の側面部に設けられるコンセント装置に関するものである。
【背景技術】
【０００２】
上面が水廻りの作業面となる台の側面部に設けられるコンセント装置が知られている（例えば特許文献１参照）。
【０００３】
この特許文献１に示されるコンセント装置は、上面が調理作業面となる調理台の前面部に設けられている。
【先行技術文献】
【特許文献】
【０００４】
【特許文献１】特開２００５−２２４２５１号公報
【発明の概要】
【発明が解決しようとする課題】
【０００５】
しかしながら、この特許文献１に示されるコンセント装置にあっては、前面部が垂直面となっているため、調理作業面やその廻りから飛散した水がプラグ挿入孔に付着し易く、短絡等の事故が発生し易いものであった。また、プラグ挿入孔に所謂家電製品が備える電源コードのプラグが挿入されていると、プラグ挿入孔から家電製品にかけて電源コードが張られるため、張られた電源コードに使用者が足等の身体の一部を引っ掛け易く、家電製品が落下したり使用者が転倒し易いものであった。
【０００６】
本発明は上記従来の問題点に鑑みて発明したものであって、その目的とするところは、台の上面やその廻りから飛散した水が通電接続部に付着し難く、通電接続部から張られる電源コードに使用者が身体の一部を引っ掛け難く、家電製品が落下したり使用者が転倒するのが抑えられるコンセント装置を提供することを課題とするものである。
【課題を解決するための手段】
【０００７】
上記課題を解決するために、本発明は、上面が水廻りの作業面となる台の側面部に設けられるコンセント装置であって、前記側面部の一部に露出する側面を有し、前記側面の一部または全部が下方へ行く程前記台の内方に位置するように傾斜する傾斜面となり、前記傾斜面に通電接続部および磁性体を備えることを特徴とする。  
【０００８】
また、前記通電接続部および前記磁性体を有する本体部を備え、上端部が前記本体部に回動自在に取り付けられ、下端部が移動可能な蓋が設けられることが好ましい。
【発明の効果】
【０００９】
本発明のコンセント装置にあっては、通電接続部が傾斜面に設けられているため、台の上面やその廻りから飛散した水が通電接続部に付着し難く、短絡等の事故が抑えられる。
【００１０】
また、コンセント装置が磁性体を備え、磁石を備えたコネクタと磁力により自在に着脱されるため、万一、使用者が身体の一部を電源コードに引っ掛けても、コネクタがコンセント装置から脱落するだけで、家電製品が落下したり使用者が転倒するのが抑えられる。
【図面の簡単な説明】
【００１１】
【図１】（ａ）は一実施形態のコンセント装置の正面図であり、（ｂ）は上面図であり、（ｃ）はコンセント装置が設けられた調理台の要部断面図でありる。
【図２】同上のコンセント装置が設けられた調理台が設置されたキッチンの斜視図である。
【図３】調理台の同上のコンセント装置が設けられた部分を示し、（ａ）は蓋が閉められた状態の斜視図であり、（ｂ）は蓋が除かれた状態の斜視図である。
【図４】調理台の同上のコンセント装置が設けられた部分を示し、（ａ）は蓋が開かれてコネクタが装着される前の斜視図であり、（ｂ）は蓋が開かれてコネクタが装着された後の斜視図である。
【発明を実施するための形態】
【００１２】
本発明は、上面が水廻りの作業面となる台の側面部に設けられるコンセント装置５であって、前記側面部の一部に露出する側面を有し、前記側面の一部または全部が下方へ行く程前記台の内方に位置するように傾斜する傾斜面５６となり、傾斜面５６に通電接続部６１および磁性体６２を備えることを特徴とするものである。  
【００１３】
また、通電接続部６１および磁性体６２を有する本体部５１を備え、上端部が本体部５１に回動自在に取り付けられ、下端部が移動可能な蓋５３が設けられることが好ましい。
【００１４】
以下、本発明の一実施形態について添付図面に基いて説明する。
【００１５】
調理台１は、図２に示すように、天板１１と、天板１１の側端部に設けられる側面部（後述する前面部１２も側面部の一つ）、天板１１の後端部に設けられる背板と、シンク２と、を備えるものである。なお、調理台１においては、図２に示すように使用者３の立ち位置が設計上決められており、以下の説明においては、この立ち位置に立った使用者３が調理台１の方を向いた時の方向を後、その反対を前とする。
【００１６】
天板１１は、図２に示すように、上面が調理作業面（水廻りの作業面）となるカウンターとなるものである。本実施形態では、天板１１は、平面視矩形状をしたもので、シンク２と、加熱調理器（不図示）とが設けられている。本実施形態では、天板１１に形成されるシンク２設置用の開口と加熱調理器設置用の開口とを介して、それぞれシンク２と加熱調理器とが、天板１１から上方に露出するように、天板１１の下側の空間（機器収納空間）に収納される。なお、カウンターに設けられる機器４は、加熱調理器に限定されず、加熱調理器に加えてあるいは加熱調理器に代えて他の機器４（例えば食器洗浄機）が設けられてもよいし、何も設けられなくてもよい。
【００１７】
そして、図２乃至図４に示すように、機器収納空間の前方に、調理台１の前面部１２の一部として、機器収納空間に位置しているシンク２や機器４が前方から見えないように隠すための幕板１２ａが設けられる。幕板１２ａは、その上端部が天板１１の前端部に取り付けられる。本実施形態では、機器収納空間の下方の空間が、調理容器や調理具や調味料等の物品を収納する物品収納空間となっている。物品収納空間の前方に位置する前面部１２として、開閉自在な開き扉や引出しの前板（不図示）が設けられる。なお、物品収納空間は特に設けられなくてもよい。
【００１８】
また、本実施形態では、図４に示すように、幕板１２ａの下側の左右方向の他の一部に、食器洗浄機や電子レンジ等、調理台１内に組み込まれる機器４が設けられている。これらの機器４は、食器洗浄機や電子レンジに限定されず、これらに加えてあるいはこれらに代えて他の機器４が設けられてもよいし、機器４が設けられなくてもよい。また、物品収納空間や機器４が設けられない場合には、調理台１の前面部１２として幕板が設けられてもよいし、開口が形成されてもよい。また、幕板１２ａは、左右方向の一部に、開閉自在な開き扉や引出しの前板を備え、その背方側の空間が、調理容器や調理具や調味料や、その他の物品収納空間となってもよい。
【００１９】
そして、図１乃至図３に示すように、幕板１２ａの左右方向の一部に、コンセント機器６（後述する）を有するコンセント装置５が設けられる。コンセント装置５は、図１、図３（ｂ）に示すように、前面に、通電接続部６１および磁性体６２を備え、前面の通電接続部６１と磁性体６２とを備えた部分が、垂直（鉛直）方向に対して傾斜するものである。本実施形態では、コンセント装置５は、図１、図４に示すように、直方体状をした本体部５１と、本体部５１の前部の上側に連設される上壁５２と、蓋５３と、を備えている。なお、本体部５１の形状は特に限定されない。
【００２０】
上壁５２の背面は、図１（ｃ）に示すように、調理台１の機器収納空間に位置する取り付け部に取り付けられる。蓋５３は、上端部が本体部５１または上壁５２（本実施形態では上壁５２）に回動自在に取り付けられ、下端部が前方へ移動して弧を描くように全体が回動する。これにより、図３に示すように、通電接続部６１および磁性体６２が露出しないように蓋５３により閉じられた状態と、図４に示すように、通電接続部６１および磁性体６２が露出するように蓋５３が開かれた状態が適宜選択される。
【００２１】
本体部５１には、図１に示すように、背方に開口し、内部にコンセント機器６が収納されるコンセント機器収納部５４が形成される。また、本体部５１の前面（側面の一つ）において、上下方向の中間部よりも上側は、上壁５２の前面と連続して面一となり垂直面となる縦面５５となる。なお、垂直面とは、厳密な垂直面（鉛直面）は勿論のこと、垂直に対して５〜１０°未満の傾きを有する面をいうものとする。この縦面５５は、コンセント装置５が設けられる側面部（すなわち前面部１２）が向く方向と同じ方向を向くものである。更に本体部５１の前面は、前記中間部よりも下側は、下方へ行く程背方に位置するように傾斜する傾斜面５６となる。ここで、傾斜面５６の傾斜は、概ね垂直に対して２０〜６０°の範囲内である。
【００２２】
傾斜面５６の一部には、前後に貫通する開口５７が形成されている。コンセント機器収納部５４に収納されるコンセント機器６は、その前面が、この開口５７を介して前方に露出するものである。コンセント機器６の前面も、傾斜面５６と同様の傾斜を有している。なお、コンセント機器６の前面は、傾斜面５６と面一となってもよいし、面一となっていなくてもよい。
【００２３】
コンセント機器６は、図１に示すように、前面に通電接続部６１を備え、前面以外の部分（本実施形態では背面）に、通電接続部６１と商用電源等の電源とを電気的に接続する電線が配置されるもので、従来より多種多様のもの知られており、これらが適宜利用可能であって説明は省略する。本実施形態では、コンセント機器６は、外殻となる合成樹脂製の筐体を備え、その前面に、金属等の通電部材で構成される通電接続部６１が、適宜個数（本実施形態では上下方向中央部に左右に二個）間隔をあけて露出している。なお、筐体は、合成樹脂製以外の不導体であってもよい。
【００２４】
また、図１に示すように、コンセント機器６の筐体の前面に、磁性体６２が設けられるものである。本実施形態では、鉄系金属で構成される磁性体６２が、適宜個数（本実施形態では通電接続部６１の上側および下側にそれぞれ二個ずつ）間隔をあけて露出するように設けられる。
【００２５】
コンセント機器６には、図４に示すように、通電接続部７１および磁石（不図示）を備えたコネクタ７が着脱自在に装着される。コネクタ７は、背面に通電接続部７１および磁石が設けられ、背面以外の部分（本実施形態では前面）に、ハンドミキサーやスムーザーやその他様々な所謂家電製品８が有する電源コード８１が接続されている。本実施形態では、コネクタ７は、背面がコンセント機器６の前面より若干小さい。コネクタ７の背面がコンセント機器６の前面に重ね合わせられた時に、通電接続部６１と磁性体６２とに対応する位置にそれぞれ、通電接続部７１と磁石とが設けられている。通電接続部７１は、金属等の通電部材で構成され、電源コード８１が有する電線と電気的に接続されている。
【００２６】
なお、コネクタ７は、図４に示す本実施形態のように、通電接続部７１と、家電製品８の電源コード８１の電線と、間接的に接続されるものであってもよい。この場合、コネクタ７は、前面に栓刃挿入口（不図示）と、栓刃挿入口内に設けられ、電源コード８１が備えるプラグ８０の栓刃（不図示）を挟持してこの栓刃と接続される栓刃受け（不図示）と、栓刃受けと通電接続部７１とを電気的に接続する接続部（不図示）が設けられる。
【００２７】
このようなコンセント機器６を備えた調理台１にあっては、通電接続部６１が傾斜面５６に設けられているため、調理作業面やその廻りから飛散した水が通電接続部６１に付着し難く、短絡等の事故が抑えられるものである。本実施形態では、蓋５３を備えることにより、より一層、調理作業面やその廻りから飛散した水が通電接続部６１に付着し難いものである。
【００２８】
また、コンセント装置５が磁性体６２を備えており、磁石を備えたコネクタ７と、磁力により自在に着脱されるものである。これにより、万一、使用者３が身体の一部を電源コード８１に引っ掛けても、コネクタ７がコンセント装置５から脱落するだけですみ、家電製品８が落下したり使用者３が転倒するのが抑えられる。
【００２９】
なお、本実施形態では、コンセント装置５は、調理台１の前面部１２に設けられているが、洗面台の側面部（前面部を含む）に設けられてもよい。すなわち、コンセント装置５は、調理台１や洗面台等の上面が水廻りの作業面となる台の前面部（側面部）に設けられることで、前記効果が得られるものである。なお、水廻りの作業とは、調理や洗面等、水（湯や他の液体も含む）を用いた動作全般をいうものとする。
【００３０】
また、本実施形態では、コンセント装置５が磁性体６２を備え、コネクタ７が磁石を備えているが、コンセント装置５が磁石を備え、コネクタ７が磁性体を備えてもよい。更に、コンセント装置５とコネクタ７の両方が磁石を備えてもよい。
【符号の説明】
【００３１】
１    調理台
１１  天板
１２  前面部
１２ａ  幕板
２    シンク
３    使用者
４    機器
５    コンセント装置
５１  本体部
５２  上壁
５３  蓋
５４  コンセント機器収納部
５５  縦面
５６  傾斜面
５７  開口
６    コンセント機器
６１  通電接続部
６２  磁性体
７    コネクタ
７１  通電接続部
８    家電製品
８０  プラグ
８１  電源コード
【図１】
2014235983.tif 000003
【図２】
2014235983.tif 000004
【図３】
2014235983.tif 000005
【図４】
2014235983.tif 000006